(57)【要約】【課題】コンパクト容器の内部機密性を向上させ、液漏れを防止する。【解決手段】本発明は、コンパクト容器に関し、内容物貯蔵部の上端を開閉する密閉部材が、内容物貯蔵部とネジ結合が行われるように構成することにより、下部ケースを回転させる時に、内容物貯蔵部と密閉部材のネジ結合により、内容物貯蔵部の上端開栓部のシーリングが行われるので、内容物貯蔵部の内部機密性を向上させることができるだけでなく、減圧過程で内容物の液漏れを防止することができる。【選択図】図１
2018522670.tif 000002
【特許請求の範囲】
【請求項１】
下部ケースと、
前記下部ケース上部に回転可能に結合する中間ケースと、
前記下部ケースの内側に結合し、液状の内容物を含浸した内容物吸収部材を貯蔵し、その上部外周面に第1ネジ山が形成される内容物貯蔵部と、
前記内容物貯蔵部の上端開口部を開閉するように、前記中間ケースにヒンジ結合し、その上部には内容物塗布部材を収納することができるように収納溝が形成され、その下部内周面には、前記第１ネジ山とネジ結合する第２ネジ山が形成される密閉部材と、
前記中間ケースに上下に回動可能にヒンジ結合する上部ケースと、を含み、
前記上部ケースまたは前記下部ケースを回転させることにより、前記内容物貯蔵部の第１ネジ山と前記密閉部材の第２ネジ山を結合し、前記内容物貯蔵部の上端開栓部の閉栓によるシーリング処理が行われるように構成されること、
を特徴とするコンパクト容器。
【請求項２】
前記下部ケースの内側に結合し、前記下部ケースの回転によって一緒に回転し、その外周面に前記上部ケースの上方向回動を防止する係止部、及び、前記係止部の先端に位置して、前記上部ケースの上方向回動をガイドするガイド溝を具備する支持体をさらに含むこと、
を特徴とする請求項１に記載のコンパクト容器。
【請求項３】
前記下部ケースの内側には、前記下部ケースの回転によって、前記内容物貯蔵部が一緒に回転するように、前記内容物貯蔵部を結合する結合突起が形成され、
前記内容物貯蔵部の外側には、前記結合突起と結合する結合溝が形成されること、
を特徴とする請求項２に記載のコンパクト容器。
【請求項４】
前記下部ケースの内側には、前記下部ケースの回転によって、前記支持体が一緒に回転するように、前記支持体を挿入する挿入溝が形成され、
前記支持体には、前記挿入溝に挿入する挿入突起が形成されること、
を特徴とする請求項２に記載のコンパクト容器。
【請求項５】
前記下部ケースの内側には、前記支持体が上方向に離脱することを防止するように、離脱防止溝が形成され、
前記支持体の外側には、前記離脱防止溝に挿入する離脱防止突起が形成されること、
を特徴とする請求項２に記載のコンパクト容器。
【請求項６】
前記中間ケースの内側には、前記下部ケース及び前記内容物貯蔵部の回転範囲を制限するように上、下に位置する第１回転制限突起及び第２回転制限突起を具備し、
前記下部ケースには回転過程で、前記第１回転制限突起と当接し、前記下部ケースの回転を制限する第１突出部を具備し、
前記内容物貯蔵部には回転過程で、前記第２回転制限突起と当接し、前記内容物貯蔵部の回転を制限する第２突出部を具備すること、
を特徴とする請求項１に記載のコンパクト容器。
【発明の詳細な説明】
【技術分野】
【０００１】
本発明は、コンパクト容器に関し、より詳細には、内容物貯蔵部の上端を開閉する密閉部材が内容物貯蔵部とネジ結合が行われるように構成することにより、下部ケースを回転させる時に、内容物貯蔵部と密閉部材のネジ結合によって、内容物貯蔵部の上端開栓部のシーリングが行われるので、内容物貯蔵部の内部機密性を向上させることができるだけでなく、減圧過程で内容物の液漏れを防止することができるコンパクト容器に関する。
【背景技術】
【０００２】
一般的にコンパクト容器は、女性が携帯し、顔化粧に使われる色調化粧品や白粉を収納して簡便に携帯することができるものをいう。
【０００３】
このようなコンパクト容器は、多様な形状で提供されており、どのような形状とも無関係に内容物貯蔵部に色調化粧品や白粉の内容物を収納保管しており、使用の時には、容器本体の前面部に具備したボタンを加圧して外蓋を容器本体でヒンジ回動により開き、内部に収容されたパフやブラシなどの化粧用具を利用して、化粧品をつけて顔化粧に使用することは共通点である。
【０００４】
前記のような従来のコンパクト容器は、内キャップを介して内容物貯蔵部の上端部を包んで内部機密性を維持するように構成され、空気が流入することをある程度、防止することはできるものの、構造的な限界によって完璧に内部機密性を維持することができないという問題があった。
【０００５】
この問題点を解決するために、内容物貯蔵部の内部機密性を向上させることができるように構成された「コンパクト容器」が大韓民国特許第１０−１３３３０４４号明細書（以下、「特許文献１」とする。）に開示されている。
【０００６】
特許文献１は、内容物を貯蔵する内容物貯蔵部を収容し、内容物貯蔵部を昇降させるように、内側下端にガイド突起が形成される下部ケースと、
前記下部ケースの上部に回転可能に結合する中間ケースと、
内容物を貯蔵し、前記下部ケースに収容され、前記ガイド突起に沿って移動する回転突起が形成される内容物貯蔵部と、
前記中間ケースの上部に停止され、中間ケースの回転の時に、噛み合って一緒に回転し、前記内容物貯蔵部の垂直移動をガイドする回転体と、
前記回転体の上端を開閉するように回転体の一側にヒンジ結合する密閉部材と、
前記中間ケースの一側にヒンジ結合し、ユーザー加圧によって一側または他側方向に回転し、前記中間ケースを一緒に回転させる上部ケースと、を含むことを特徴とする。
【０００７】
特許文献１は、回転体の回転の時に、回転体のガイド溝に挿入した内容物貯蔵部の昇降突起によって内容物貯蔵部が一緒に回転し、内容物貯蔵部が回転すると、内容物貯蔵部の下端に形成された回転突起が下部ケースのガイド突起の傾斜面に沿って移動する。これにより、内容物貯蔵部が上昇して内容物貯蔵部の上端部が密閉部材のシーリング部によって密閉が行われるように構成される。
【０００８】
しかし、前記のような構造で成された特許文献１は、内容物貯蔵部の内部機密性を向上させるための構造が非常に複雑で、製造時間の増加はもちろん、容器自体の単価上昇をもたらす問題があった。
【０００９】
一方、最近になって、前記のようなコンパクト容器内部に液状の内容物を貯蔵する、液状の内容物を含浸した発泡ウレタンフォームを収容する等の場合が増加している。そこで、密閉構造による内部機密性問題によって、減圧テスト過程で内容物貯蔵部に貯蔵された内容物の液漏れが発生するなどの問題点を解決するための多様な密閉構造が開発されている。
【先行技術文献】
【特許文献】
【００１０】
【特許文献１】大韓民国特許第１０−１３３３０４４号明細書
【発明の概要】
【発明が解決しようとする課題】
【００１１】
本発明は、上述した問題点を解決するために考案されたものであり、本発明の目的は、内容物貯蔵部の上端を開閉する密閉部材が内容物貯蔵部とネジ結合を行うように構成することにより、下部ケースを回転させる時に、内容物貯蔵部と密閉部材のネジ結合により、内容物貯蔵部の上端開栓部のシーリングが行われ、内容物貯蔵部の内部機密性を向上させることができるだけでなく、減圧過程で内容物の液漏れを防止することができるコンパクト容器を提供することである。
【００１２】
また、内容物貯蔵部を下部ケースに簡単に脱着できるように構成することにより、内容物貯蔵部の交替が容易になるので、再充填が容易になる便宜を使用者に提供することができるコンパクト容器を提供する。
【課題を解決するための手段】
【００１３】
前記のような問題点を解決するために、本発明に係るコンパクト容器は、
下部ケースと、
前記下部ケースの上部に回転可能に結合する中間ケースと、
前記下部ケースの内側に結合し、液状の内容物を含浸した内容物吸収部材を貯蔵し、その上部外周面に第１ネジ山が形成される内容物貯蔵部と、
前記内容物貯蔵部の上端開栓部を開閉するように、前記中間ケースにヒンジ結合し、その上部には内容物塗布部材を収納することができるように収納溝が形成され、その下部内周面には、前記第１ネジ山とネジ結合する第２ネジ山が形成される密閉部材と、そして、
前記中間ケースに上下に回動できるようにヒンジ結合される上部ケースと、を含み、
前記上部ケースまたは前記下部ケースを回転させることにより、前記内容物貯蔵部の第１ネジ山と前記密閉部材の第２ネジ山を結合し、前記内容物貯蔵部の上端開栓部の閉栓によるシーリング処理が行われるように構成することを特徴とする。
【００１４】
また、前記コンパクト容器は、前記下部ケースの内側に結合し、前記下部ケースの回転によって一緒に回転し、その外周面に前記上部ケースの上方向回動を防止する係止部、及び、前記係止部の先端に位置して、前記上部ケースの上方向回動をガイドするガイド溝を具備する支持体をさらに含むことを特徴とする。
【００１５】
また、前記下部ケースの内側には、前記下部ケースの回転によって、前記内容物貯蔵部が一緒に回転するように、前記内容物貯蔵部を結合する結合突起が形成され、前記内容物貯蔵部の外側には、前記結合突起と結合する結合溝が形成されることを特徴とする。
【００１６】
また、前記下部ケースの内側には、前記下部ケースの回転によって、前記支持体が一緒に回転するように、前記支持体を挿入する挿入溝が形成され、前記支持体には、前記挿入溝に挿入する挿入突起が形成されることを特徴とする。
【００１７】
また、前記下部ケースの内側には、前記支持体が上方向に離脱することを防止するように、離脱防止溝が形成され、前記支持体の外側には、前記離脱防止溝に挿入する離脱防止突起が形成されることを特徴とする。
【００１８】
また、前記中間ケースの内側には、前記下部ケース及び内容物貯蔵部の回転範囲を制限するように、上、下に位置する第１回転制限突起及び第２回転制限突起を具備し、前記下部ケースには回転過程で、前記第１回転制限突起と当接し、下部ケースの回転を制限する第１突出部を具備し、前記内容物貯蔵部には回転過程で、前記第２回転制限突起と当接し、内容物貯蔵部の回転を制限する第２突出部を具備することを特徴とする。
【発明の効果】
【００１９】
以上のように、本発明によれば、内容物貯蔵部の上端を開閉する密閉部材が、内容物貯蔵部とネジ結合が行われるように構成することにより、下部ケースを回転させる時に、内容物貯蔵部と密閉部材のネジ結合により内容物貯蔵部の上端開栓部のシーリングが行われるので、内容物貯蔵部の内部機密性を向上させることができるだけでなく、減圧過程で内容物の液漏れを防止することができる長所がある。
【００２０】
また、内容物貯蔵部を下部ケースに簡単に脱着できるように構成することにより、内容物貯蔵部の交替が容易になるので、再充填が容易になる便宜をユーザーに提供することができる長所がある。
【図面の簡単な説明】
【００２１】
【図１】本発明の好ましい実施例に係るコンパクト容器の構成を示す分解斜視図である。
【図２】本発明の好ましい実施例に係るコンパクト容器の構成を示す組立斜視図である。
【図３】本発明の好ましい実施例に係るコンパクト容器の構成を示す組立断面図である。
【図４】本発明の好ましい実施例に係るコンパクト容器の上部ケースの開栓過程を示す説明図である。
【図５】本発明の好ましい実施例に係るコンパクト容器の下部ケースの回転範囲を示す説明図である。
【図６】本発明の好ましい実施例に係るコンパクト容器の下部ケースと支持体の結合構造を示す分解斜視図である。
【図７】本発明の好ましい実施例に係るコンパクト容器の使用方法を示す説明図である。
【図８】本発明の好ましい実施例に係るコンパクト容器の使用方法を示す説明図である。
【図９】本発明の好ましい実施例に係るコンパクト容器の内容物貯蔵部の再充填過程を示す説明図である。
【発明を実施するための形態】
【００２２】
以下、図面を参照して本発明を詳細に説明する。各図面に提示された同一の参照符号は、同一の部材を示す。
【００２３】
図１は、本発明の好ましい実施例に係るコンパクト容器の構成を示す分解斜視図であり、図２は、本発明の好ましい実施例に係るコンパクト容器の構成を示す組立斜視図であり、図３は、本発明の好ましい実施例に係るコンパクト容器の構成を示す組立断面図である。
【００２４】
図４は、本発明の好ましい実施例に係るコンパクト容器の上部ケースの開栓過程を示す説明図であり、図５は、本発明の好ましい実施例に係るコンパクト容器の下部ケースの回転範囲を示す説明図であり、図６は、本発明の好ましい実施例に係るコンパクト容器の下部ケースと支持体の結合構造を示す分解斜視図である。
【００２５】
図１〜６を参照すると、本発明の好ましい実施例に係るコンパクト容器は下部ケース１００、中間ケース２００、内容物貯蔵部３００、密閉部材４００、上部ケース５００、支持体６００を含む。
【００２６】
下部ケース１００は、内容物貯蔵部３００を収容するものであり、その内側には、下部ケース１００の回転によって、内容物貯蔵部３００が一緒に回転することができるように、内容物貯蔵部３００を結合する結合突起１１０が形成される。
【００２７】
また、下部ケース１００の内側には、下部ケース１００の回転によって、支持体６００が一緒に回転することができるように、支持体６００の挿入突起６１０を挿入する挿入溝１２０が形成され、挿入突起６１０を挿入溝１２０に挿入した状態で、支持体６００が上方向に離脱することを防止するように、下部ケース１００の内側には、支持体６００の離脱防止突起６２０を結合する離脱防止溝１３０が形成される。
【００２８】
一方、下部ケース１００には、回転過程で中間ケース２００の第１回転制限突起２３０と当接し、下部ケース１００の回転を制限する第１突出部１４０を具備し、第１突出部１４０は図５に示すように、相互対向するように突出し形成される一対で構成することが好ましい。
【００２９】
中間ケース２００は、下部ケース１００の上部に回転可能に結合するリング形状で形成されるものであり、その上端に密封部材４００及び上部ケース５００をヒンジ結合して上下に回動することができるように、ヒンジ部２１０を具備し、上部ケース５００の開閉突起５２０を貫通するように、貫通溝２２０が形成される。
【００３０】
本発明において、中間ケース２００の内側には、下部ケース１００及び内容物貯蔵部３００の回転範囲を制限することができるように、第１回転制限突起２３０及び第２回転制限突起２４０を具備することが特徴であり、第１回転制限突起２３０及び第２回転制限突起２４０は、上、下に位置し、それぞれ下部ケース１００及び内容物貯蔵部３００の回転範囲を制限するように構成し、中間ケース２００の内側から対向するように、突出し形成される一対で構成することが好ましい。
【００３１】
内容物貯蔵部３００は、下部ケース１００の内側に結合し、液状の内容物を含浸した内容物吸収部材７００を貯蔵するものとして、下部ケース１００の内側に結合することができるように、その外周面に下部ケース１００の結合突起１１０と結合する結合溝３２０が形成される。
【００３２】
内容物貯蔵部３００に貯蔵する内容物吸収部材７００は、液状の内容物を含浸することができるパフ、スポンジ、フォーム（foam）、ブラシなど、多様な種類で構成することができるし、好ましくは内容物の吸収が容易な多孔質製品で構成されることが良い。
【００３３】
また、内容物貯蔵部３００の内側には、内容物吸収部材７００を固定させるように、内容物吸収部材７００を包む固定管８００を結合し、固定管８００の上部には、内容物吸収部材７００の上端を支持して、内容物吸収部材７００が内容物貯蔵部３００から離脱することを防止するように、内側方向に固定部８１０が形成される。
【００３４】
本発明において、内容物貯蔵部３００の上部外周面には、密閉部材４００とネジ結合することができるように、第１ネジ山３１０が形成されることが特徴であり、下部ケース１００を回転させる時に、下部ケース１００と噛み合っている内容物貯蔵部３００が回転することにより、第１ネジ山３１０と密閉部材４００の第２ネジ山４３０がネジ結合し、内容物貯蔵部３００の上端開栓部を閉栓してシーリング処理が行われ、ネジ結合を介してシーリング処理が行われることにより、減圧過程で内容物貯蔵部３００に貯蔵した内容物の液漏れを効率的に防止することができる。
【００３５】
一方、内容物貯蔵部３００の外周面は、図５に示すように、下部ケース１００の回転による回転過程で、第２回転制限突起２４０と当接し、内容物貯蔵部３００の回転を制限する一対の第２突出部３３０を具備する。
【００３６】
一方、図９に示すように、内容物貯蔵部３００に貯蔵した内容物吸収部材７００に含浸した内容物をすべて使用すると、内容物吸収部材７００を交換して使用することができる。この場合、密閉部材４００を上方向に回動させた状態で、内容物貯蔵部３００を下部ケース１００から脱離させた後、液状の内容物を含浸した新しい内容物吸収部材７００’を貯蔵した内容物貯蔵部３００を下部ケース１００に嵌合結合することにより、簡単に内容物吸収部材７００’の交替ができる。
【００３７】
前記のように、内容物吸収部材７００’の交換が完了すると、内容物吸収部材７００’に含浸した内容物の蒸発を防止するために、内容物貯蔵部３００の上端に付着されているシーリング紙Ｓを除去した後、内容物吸収部材７００’に含浸した内容物を使用することができる。
【００３８】
密閉部材４００は、内容物貯蔵部３００の上端開口部を開閉するように、中間ケース２００にヒンジ結合するものであり、その前面部にはヒンジ結合による上下回動の時に、操作を容易にするように取っ手部４１０が形成され、その上部にはパフのような内容物塗布部材９００を収納することができるように収納溝４２０が形成される。
【００３９】
本発明において、密閉部材４００の下部内周面には、内容物貯蔵部３００の第１ネジ山３１０とネジ結合する第２ネジ山４３０が形成されることが特徴であり、前述したように、ネジ結合によって内容物貯蔵部３００の上端開栓部を閉栓してシーリング処理が行われることにより、減圧過程で内容物貯蔵部３００に貯蔵された内容物の液漏れを効率的に防止することができる。
【００４０】
上部ケース５００は、内容物塗布部材９００を包んで、中間ケース２００に上下に回動できるようにヒンジ結合するものであり、上方向に回動して開栓の時には、内容物塗布部材９００の使用をできるようにし、下方向に回動して閉栓の時には、外部衝撃から内容物塗布部材９００を保護することと同時に、収納溝４２０に異物が流入することを防止する。上部ケース５００の内側には、ユーザーが化粧の時に化粧部位を確認することができるように鏡５１０を設置することが好ましい。
【００４１】
本発明において、上部ケース５００の前面部には上部ケース５００の開閉を断続する開閉突起５２０を具備することが特徴であり、開閉突起５２０は、図４に示すように、支持体６００の係止部６３０に支持された状態に位置して、普段は上部ケース５００が開栓されることを防止し、上部ケース５００の回転により係止部６３０から外れて、ガイド溝６４０に位置する場合には、上部ケース５００が開栓される。
【００４２】
支持体６００は、下部ケース１００の内側に結合し、下部ケース１００の回転によって、一緒に回転するリング形状で形成されるものであり、支持体６００の外周面には、図６に示すように、下部ケース１００の回転によって、一緒に回転することができるように、下部ケース１００の挿入溝１２０に挿入する挿入突起６１０が形成される。
【００４３】
また、支持体６００の外側には、支持体６００が、下部ケース１００から上方向に移動して脱離することを防止するように、下部ケース１００の離脱防止溝１３０に挿入する離脱防止突起６２０が形成される。
【００４４】
一方、支持体６００の外周面には、上部ケース５００の開閉突起５２０を支持して、上部ケース５００の上方向回動を防止する係止部６３０が形成され、係止部６３０の先端には、上部ケース５００の上方向回動をガイドするガイド溝６４０を具備する。
【００４５】
以下では、図７および８を参照して、本発明の好ましい実施例に係るコンパクト容器の使用方法を説明する。
【００４６】
まず、図７に示すように、上部ケース５００を把持した状態で、下部ケース１００を一側方向に回転すると、下部ケース１００と噛み合っている内容物貯蔵部３００が一緒に回転する。これにより、内容物貯蔵部３００の第１ネジ山３１０と密閉部材４００の第２ネジ山４３０のネジ結合が解除され、密閉部材４００が小幅上昇する。
【００４７】
このとき、下部ケース１００は、図５に示すように、第１突出部１４０が第１回転制限突起２３０と当接する時点まで回転が行われる。
【００４８】
前記のように、内容物貯蔵部３００の第１ネジ山３１０と密閉部材４００の第２ネジ山４３０のネジ結合が解除されると、上部ケース５００と密閉部材４００を順番に上方向に回動して開栓させた後、図８に示すように、内容物塗布部材９００を利用して、内容物吸収部材７００に含浸した内容物をつけて使用することができる。
【００４９】
次に、内容物塗布部材９００を利用して、内容物の使用が完了すると、密閉部材４００を下方向に回動させ、収納溝４２０に内容物塗布部材９００を収納した後、上部ケース５００を下方向に回動させる。
【００５０】
前記のように、上部ケース５００を下方向に回動させた状態で、上部ケース５００を把持した後、下部ケース１００を他側方向に回転すると、下部ケース１００と噛み合っている内容物貯蔵部３００が一緒に回転することによって、内容物貯蔵部３００の第１ネジ山３１０と密閉部材４００の第２ネジ山４３０のネジ結合が行われ、密閉部材４００が小幅下降する。これにより、密閉部材４００によって内容物貯蔵部３００の上端開栓部の閉栓によるシーリング処理が行われる。
【００５１】
本発明は、前述したように、内容物貯蔵部３００と密閉部材４００のネジ結合を利用したシーリング構造を介して内容物貯蔵部３００の開栓された上端を閉栓することにより、内容物の液漏れを効率的に防止することができる。
【００５２】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【符号の説明】
【００５３】
１００    下部ケース
２００    中間ケース
３００    内容物貯蔵部
３１０    第１ネジ山
４００    密閉部材
４３０    第２ネジ山
５００    上部ケース
【図１】
2018522670.tif 000003
【図２】
2018522670.tif 000004
【図３】
2018522670.tif 000005
【図４（ａ）】
2018522670.tif 000006
【図４（ｂ）】
2018522670.tif 000007
【図５（ａ）】
2018522670.tif 000008
【図５（ｂ）】
2018522670.tif 000009
【図６】
2018522670.tif 000010
【図７】
2018522670.tif 000011
【図８】
2018522670.tif 000012
【図９（ａ）】
2018522670.tif 000013
【図９（ｂ）】
2018522670.tif 000014
【図９（ｃ）】
2018522670.tif 000015
【国際調査報告】
2018522670.tif 000016
2018522670.tif 000017
2018522670.tif 000018
2018522670.tif 000019